(57)【要約】【課題】各回の取引において状況に応じて入金優先モードおよび出金優先モードの切り換えを行うことができ、取引毎に弾力的な運用を行うことができる貨幣入出金処理システムを提供する。【解決手段】貨幣入出金処理システムは、貨幣の入出金処理を行う硬貨入出金装置１Ａ、紙幣入出金装置１Ｂと、商品の購入情報を登録するとともに硬貨入出金装置１Ａ、紙幣入出金装置１Ｂに対して貨幣の入出金処理を行わせる制御装置Ｔと、を備えている。各回の取引において、預かり金額入力手段ｔ１により顧客から預かった貨幣の金額が入力される前に硬貨入出金装置１Ａ、紙幣入出金装置１Ｂに対して預かり貨幣が入金された場合には、入金優先モードが指定される。硬貨入出金装置１Ａ、紙幣入出金装置１Ｂに対して預かり貨幣が入金される前に預かり金額入力手段ｔ１により顧客から預かった貨幣の金額が入力された場合には、出金優先モードが指定される。【選択図】図１
2010044558.tif 000002
【特許請求の範囲】
【請求項１】
貨幣の入出金処理を行う貨幣入出金装置と、
前記貨幣入出金装置に通信接続され、商品の購入情報を登録するとともに前記貨幣入出金装置に対して貨幣の入出金処理を行わせる制御装置と、
を備え、
前記制御装置は、前記貨幣入出金装置に対して預かり貨幣を入金した後に釣貨幣を前記貨幣入出金装置から出金させる入金優先モードおよび前記貨幣入出金装置から釣貨幣を出金させた後に前記貨幣入出金装置に対して預かり貨幣を入金させる出金優先モードを取引毎に切り換えるモード切換手段と、顧客から預かった貨幣の金額を入力する預かり金額入力手段とを有し、各回の取引において、前記モード切換手段により入金優先モードが指定されたときには前記貨幣入出金装置に入金された貨幣の金額と前記制御装置において登録された商品の購入情報における商品の合計金額とを比較して釣貨幣の金額を算出し前記貨幣入出金装置からこの金額の釣貨幣を出金させ、前記モード切換手段により出金優先モードが指定されたときには前記預かり金額入力手段により入力された金額と前記制御装置において登録された商品の購入情報における商品の合計金額とを比較して釣貨幣の金額を算出し前記貨幣入出金装置からこの金額の釣貨幣を出金させるよう制御を行うようになっており、
各回の取引において、前記預かり金額入力手段により顧客から預かった貨幣の金額が入力される前に前記貨幣入出金装置に対して預かり貨幣が入金された場合には、前記モード切換手段は入金優先モードを指定し、前記貨幣入出金装置に対して預かり貨幣が入金される前に前記預かり金額入力手段により顧客から預かった貨幣の金額が入力された場合には、前記モード切換手段は出金優先モードを指定することを特徴とする貨幣入出金処理システム。
【請求項２】
貨幣の入出金処理を行う貨幣入出金装置と、
前記貨幣入出金装置に通信接続され、商品の購入情報を登録するとともに前記貨幣入出金装置に対して貨幣の入出金処理を行わせる制御装置と、
を備え、
前記制御装置は、前記貨幣入出金装置に対して預かり貨幣を入金した後に釣貨幣を前記貨幣入出金装置から出金させる入金優先モードおよび前記貨幣入出金装置から釣貨幣を出金させた後に前記貨幣入出金装置に対して預かり貨幣を入金させる出金優先モードを取引毎に切り換えるモード切換手段と、顧客から預かった貨幣の金額を入力する預かり金額入力手段とを有し、各回の取引において、前記モード切換手段により入金優先モードが指定されたときには前記貨幣入出金装置に入金された貨幣の金額と前記制御装置において登録された商品の購入情報における商品の合計金額とを比較して釣貨幣の金額を算出し前記貨幣入出金装置からこの金額の釣貨幣を出金させ、前記モード切換手段により出金優先モードが指定されたときには前記預かり金額入力手段により入力された金額と前記制御装置において登録された商品の購入情報における商品の合計金額とを比較して釣貨幣の金額を算出し前記貨幣入出金装置からこの金額の釣貨幣を出金させるよう制御を行うようになっており、
各回の取引において、商品の数が予め設定された設定数よりも多い場合には、前記モード切換手段は入金優先モードを指定し、商品の数が予め設定された設定数以下である場合には、前記モード切換手段は出金優先モードを指定することを特徴とする貨幣入出金処理システム。
【請求項３】
前記制御装置は、前記設定数を変更する設定数変更手段を更に有することを特徴とする請求項２記載の貨幣入出金処理システム。
【請求項４】
各回の取引において、商品の数が予め設定された設定数以下である場合であっても、商品の種類が予め設定された設定種類である場合には、前記モード切換手段は入金優先モードを指定することを特徴とする請求項２または３記載の貨幣入出金処理システム。
【請求項５】
前記制御装置は、商品の設定種類を変更する設定種類変更手段を更に有することを特徴とする請求項４記載の貨幣入出金処理システム。
【請求項６】
貨幣の入出金処理を行う貨幣入出金装置と、
前記貨幣入出金装置に通信接続され、商品の購入情報を登録するとともに前記貨幣入出金装置に対して貨幣の入出金処理を行わせる制御装置と、
を備え、
前記制御装置は、前記貨幣入出金装置に対して預かり貨幣を入金した後に釣貨幣を前記貨幣入出金装置から出金させる入金優先モードおよび前記貨幣入出金装置から釣貨幣を出金させた後に前記貨幣入出金装置に対して預かり貨幣を入金させる出金優先モードを取引毎に切り換えるモード切換手段と、顧客から預かった貨幣の金額を入力する預かり金額入力手段とを有し、各回の取引において、前記モード切換手段により入金優先モードが指定されたときには前記貨幣入出金装置に入金された貨幣の金額と前記制御装置において登録された商品の購入情報における商品の合計金額とを比較して釣貨幣の金額を算出し前記貨幣入出金装置からこの金額の釣貨幣を出金させ、前記モード切換手段により出金優先モードが指定されたときには前記預かり金額入力手段により入力された金額と前記制御装置において登録された商品の購入情報における商品の合計金額とを比較して釣貨幣の金額を算出し前記貨幣入出金装置からこの金額の釣貨幣を出金させるよう制御を行うようになっており、
各回の取引において、商品の種類が予め設定された設定種類である場合には、前記モード切換手段は入金優先モードを指定し、商品の種類が予め設定された設定種類でない場合には、前記モード切換手段は出金優先モードを指定することを特徴とする貨幣入出金処理システム。
【請求項７】
前記制御装置は、商品の設定種類を変更する設定種類変更手段を更に有することを特徴とする請求項６記載の貨幣入出金処理システム。
【請求項８】
前記制御装置は、各回の取引において前記モード切換手段により入金優先モードまたは出金優先モードのどちらが指定されたかを記憶する記憶手段を更に有することを特徴とする請求項１乃至７のいずれか一項に記載の貨幣入出金処理システム。
【発明の詳細な説明】
【技術分野】
【０００１】
本発明は、紙幣や硬貨等からなる貨幣の入出金処理を行う貨幣入出金装置と、この貨幣入出金装置に通信接続され、商品の購入情報を登録するとともに貨幣入出金装置に対して貨幣の入出金処理を行わせる制御装置とを備えた貨幣入出金処理システムに関する。
【背景技術】
【０００２】
スーパーマーケットやコンビニエンスストア等の店舗には、紙幣や硬貨等からなる貨幣の入出金処理を機械的に自動処理するような貨幣入出金処理システムが導入されている。このような貨幣入出金処理システムとしては、例えば特許文献１等に開示されるものが知られている。上述のような貨幣入出金処理システムは、紙幣の入出金処理を行う紙幣入出金装置と、硬貨の入出金処理を行う硬貨入出金装置と、商品の購入情報、具体的には商品の種類、数量および金額を登録するとともに紙幣入出金装置および硬貨入出金装置に対して入出金処理を行わせる金銭登録機とを備えている。スーパーマーケットやコンビニエンスストア等の店舗に設置される貨幣入出金処理システムにおいては、金銭登録機は例えばＰＯＳレジスタ（販売時点管理機能を有する金銭登録機）である。
【０００３】
特許文献１に示す貨幣入出金処理システムにおいては、金銭登録機には、紙幣入出金装置の制御部および硬貨入出金装置の制御部に対してそれぞれ入金指令、釣銭の出金指令、収納指令、返却指令等の各種の指令を送る制御部が設けられている。金銭登録機における制御部の制御内容としては、預かり貨幣を入金したのちに釣貨幣を出金する入金優先モードと、釣貨幣を出金したのちに預かり貨幣を入金する出金優先モードとが設けられている。両者のモードを切り換える手段により入金優先モードが指定されたときは、紙幣入出金装置や硬貨入出金装置に設けられた識別部で入金可能と識別された入金貨幣の金額と、商品の合計金額とを比較して釣貨幣の金額を算出し、紙幣入出金装置や硬貨入出金装置の収納部から必要な釣貨幣を出金させる。また、出金優先モードが指定されたときは、金銭登録機に設けられた預かり金額入力手段により入力された金額と、商品の合計金額とを比較して釣貨幣の金額を算出し、紙幣入出金装置や硬貨入出金装置の収納部から必要な釣貨幣を出金させる。
【０００４】
また、特許文献２には、スーパーマーケット等の店舗で使用する自動釣銭機が接続されたＰＯＳ装置が開示されている。特許文献２において、自動釣銭機が接続されたＰＯＳ装置は、預かり金の金額がキー入力される通常モードと、預かり金を自動釣銭機で計数させて計数結果が入力される計数モードとが条件と共に設定されたモード切換テーブルを備えている。また、ＰＯＳ装置には、モード切換テーブルに基づいて設定される現在のモードを記憶する計数モードフラグが設けられている。ＰＯＳ装置は、更に、一日の売上処理毎に計数モードフラグを判別して、自動釣銭機に対して判別された計数モードを指示する計数モード切換指示部を備えている。
【０００５】
【特許文献１】特開平１０−３０２１１９号公報
【特許文献２】特開２００５−２２２１９２号公報
【発明の開示】
【発明が解決しようとする課題】
【０００６】
特許文献１に示す貨幣入出金処理システムにおいて、預かり貨幣を入金したのちに釣貨幣を出金するような入金優先モードを行う場合には、紙幣入出金装置や硬貨入出金装置に設けられた識別部で入金可能と識別された入金貨幣の金額と、商品の合計金額とを比較して釣貨幣の金額を算出するため、現金誤差は小さくなる。しかしながら、入金優先モードにおいては、預かり貨幣が識別部で識別された後に釣貨幣の出金を行うので、貨幣の識別に時間がかかり、取引のスピードが遅くなってしまうという問題がある。一方、釣貨幣を出金したのちに預かり貨幣を入金する出金優先モードを行う場合には、金銭登録機に設けられた預かり金額入力手段により預かり貨幣の金額を入力した後、まず釣貨幣の出金を行うため、取引のスピードを速くすることができる。しかしながら、預かり貨幣の金額をオペレータが手入力するため、現金誤差が大きくなってしまうという問題がある。このように、入金優先モードおよび出金優先モードには、それぞれ長所と短所があるため、これらのモードを状況に応じて弾力的に切り換えながら運用することが望ましい。
【０００７】
しかしながら、特許文献１、２に示すような従来の貨幣入出金処理システムでは、入金優先モードおよび出金優先モードは、オペレータの種別（社員／パート）により、または時間帯（繁忙期／閑散期、あるいは昼／夜）により切り換えられていた。このように、従来の貨幣入出金処理システムでは、取引毎に入金優先モードおよび出金優先モードの切り換えを行うことができなかったので、取引毎の具体的な商品の数や種類に応じて入金優先モードおよび出金優先モードの切り換えを行うことができず、状況に応じた弾力的な運用を行うことができなかった。また、今日では、貨幣入出金処理システムにおいて釣貨幣の出金をより迅速に行うことが求められる場合が多い。
【０００８】
本発明は、このような点を考慮してなされたものであり、各回の取引において状況に応じて入金優先モードおよび出金優先モードの切り換えを行うことができ、取引毎に弾力的な運用を行うことができる貨幣入出金処理システムを提供することを目的とする。
【０００９】
より具体的には、本発明の目的は、各回の取引において、預かり金額入力手段により顧客から預かった貨幣の金額が入力されるタイミングと、貨幣入出金装置に対して預かり貨幣が入金されるタイミングとを比較し、どちらの処理が先に行われるかに基づいて入金優先モードおよび出金優先モードの切り換えを行うことができ、このため取引毎に弾力的な運用を行うことができるような貨幣入出金処理システムを提供することにある。また、本発明の他の目的は、各回の取引において、商品の数や種類に応じて入金優先モードおよび出金優先モードの切り換えを行うことができ、取引毎に状況に応じて弾力的な運用を行うことができる貨幣入出金処理システムを提供することにある。
【課題を解決するための手段】
【００１０】
本発明の貨幣入出金処理システムは、貨幣の入出金処理を行う貨幣入出金装置と、前記貨幣入出金装置に通信接続され、商品の購入情報を登録するとともに前記貨幣入出金装置に対して貨幣の入出金処理を行わせる制御装置と、を備え、前記制御装置は、前記貨幣入出金装置に対して預かり貨幣を入金した後に釣貨幣を前記貨幣入出金装置から出金させる入金優先モードおよび前記貨幣入出金装置から釣貨幣を出金させた後に前記貨幣入出金装置に対して預かり貨幣を入金させる出金優先モードを取引毎に切り換えるモード切換手段と、顧客から預かった貨幣の金額を入力する預かり金額入力手段とを有し、各回の取引において、前記モード切換手段により入金優先モードが指定されたときには前記貨幣入出金装置に入金された貨幣の金額と前記制御装置において登録された商品の購入情報における商品の合計金額とを比較して釣貨幣の金額を算出し前記貨幣入出金装置からこの金額の釣貨幣を出金させ、前記モード切換手段により出金優先モードが指定されたときには前記預かり金額入力手段により入力された金額と前記制御装置において登録された商品の購入情報における商品の合計金額とを比較して釣貨幣の金額を算出し前記貨幣入出金装置からこの金額の釣貨幣を出金させるよう制御を行うようになっており、各回の取引において、前記預かり金額入力手段により顧客から預かった貨幣の金額が入力される前に前記貨幣入出金装置に対して預かり貨幣が入金された場合には、前記モード切換手段は入金優先モードを指定し、前記貨幣入出金装置に対して預かり貨幣が入金される前に前記預かり金額入力手段により顧客から預かった貨幣の金額が入力された場合には、前記モード切換手段は出金優先モードを指定することを特徴とする。
【００１１】
ここで、「一回の取引」とは、店舗の従業員等のオペレータが顧客から硬貨や紙幣を預かった後、貨幣入出金装置から釣貨幣が出され、オペレータが顧客に釣貨幣を渡すまでの動作のことをいう。
【００１２】
このような貨幣入出金処理システムによれば、各回の取引において、預かり金額入力手段により顧客から預かった貨幣の金額が入力される前に貨幣入出金装置に対して預かり貨幣が入金された場合には、入金優先モードが指定される。一方、貨幣入出金装置に対して預かり貨幣が入金される前に預かり金額入力手段により顧客から預かった貨幣の金額が入力された場合には、出金優先モードが指定される。このことにより、各回の取引において、預かり金額入力手段により顧客から預かった貨幣の金額が手入力されるタイミングと、貨幣入出金装置に対して預かり貨幣が入金されるタイミングとを比較し、どちらの処理が先に行われるかに基づいて入金優先モードおよび出金優先モードの切り換えを行うことができる。このため、取引毎に弾力的な運用を行うことができる。
【００１３】
本発明の貨幣入出金処理システムは、貨幣の入出金処理を行う貨幣入出金装置と、前記貨幣入出金装置に通信接続され、商品の購入情報を登録するとともに前記貨幣入出金装置に対して貨幣の入出金処理を行わせる制御装置と、を備え、前記制御装置は、前記貨幣入出金装置に対して預かり貨幣を入金した後に釣貨幣を前記貨幣入出金装置から出金させる入金優先モードおよび前記貨幣入出金装置から釣貨幣を出金させた後に前記貨幣入出金装置に対して預かり貨幣を入金させる出金優先モードを取引毎に切り換えるモード切換手段と、顧客から預かった貨幣の金額を入力する預かり金額入力手段とを有し、各回の取引において、前記モード切換手段により入金優先モードが指定されたときには前記貨幣入出金装置に入金された貨幣の金額と前記制御装置において登録された商品の購入情報における商品の合計金額とを比較して釣貨幣の金額を算出し前記貨幣入出金装置からこの金額の釣貨幣を出金させ、前記モード切換手段により出金優先モードが指定されたときには前記預かり金額入力手段により入力された金額と前記制御装置において登録された商品の購入情報における商品の合計金額とを比較して釣貨幣の金額を算出し前記貨幣入出金装置からこの金額の釣貨幣を出金させるよう制御を行うようになっており、各回の取引において、商品の数が予め設定された設定数よりも多い場合には、前記モード切換手段は入金優先モードを指定し、商品の数が予め設定された設定数以下である場合には、前記モード切換手段は出金優先モードを指定することを特徴とする。
【００１４】
このような貨幣入出金処理システムによれば、各回の取引において、商品の数が予め設定された設定数よりも多い場合には、入金優先モードが指定される。一方、商品の数が予め設定された設定数以下である場合には、出金優先モードが指定される。ここで、商品の数が多い場合には、オペレータが商品のスキャンを行うのに時間がかかるため、入金優先モードにおいて、預かり貨幣が貨幣入出金装置に入金され、その後貨幣入出金装置に設けられた識別部によりこの預かり貨幣の識別・計数を行った後に釣貨幣が貨幣入出金装置から出金された場合でも、取引全体の時間に占める貨幣処理時間の割合が低くなるので、顧客は釣貨幣の受け取りが遅いと感じることはない。一方、商品の数が少ない場合には、出金優先モードによりまず釣貨幣を貨幣入出金装置から出金させ、顧客に釣貨幣を渡してから、貨幣入出金装置に設けられた識別部により預かり貨幣の識別・計数が行われるので、この場合でも顧客は釣貨幣の受け取りが遅いと感じることはない。このように、各回の取引において、商品の数に応じて入金優先モードおよび出金優先モードの切り換えを行うので、取引毎に状況に応じて弾力的な運用を行うことができる。
【００１５】
上述の貨幣入出金処理システムにおいては、前記制御装置は、前記設定数を変更する設定数変更手段を更に有することが好ましい。
【００１６】
また、上述の貨幣入出金処理システムにおいては、各回の取引において、商品の数が予め設定された設定数以下である場合であっても、商品の種類が予め設定された設定種類である場合には、前記モード切換手段は入金優先モードを指定することが好ましい。この場合、前記制御装置は、商品の設定種類を変更する設定種類変更手段を更に有することがより好ましい。
【００１７】
本発明の貨幣入出金処理システムは、貨幣の入出金処理を行う貨幣入出金装置と、前記貨幣入出金装置に通信接続され、商品の購入情報を登録するとともに前記貨幣入出金装置に対して貨幣の入出金処理を行わせる制御装置と、を備え、前記制御装置は、前記貨幣入出金装置に対して預かり貨幣を入金した後に釣貨幣を前記貨幣入出金装置から出金させる入金優先モードおよび前記貨幣入出金装置から釣貨幣を出金させた後に前記貨幣入出金装置に対して預かり貨幣を入金させる出金優先モードを取引毎に切り換えるモード切換手段と、顧客から預かった貨幣の金額を入力する預かり金額入力手段とを有し、各回の取引において、前記モード切換手段により入金優先モードが指定されたときには前記貨幣入出金装置に入金された貨幣の金額と前記制御装置において登録された商品の購入情報における商品の合計金額とを比較して釣貨幣の金額を算出し前記貨幣入出金装置からこの金額の釣貨幣を出金させ、前記モード切換手段により出金優先モードが指定されたときには前記預かり金額入力手段により入力された金額と前記制御装置において登録された商品の購入情報における商品の合計金額とを比較して釣貨幣の金額を算出し前記貨幣入出金装置からこの金額の釣貨幣を出金させるよう制御を行うようになっており、各回の取引において、商品の種類が予め設定された設定種類である場合には、前記モード切換手段は入金優先モードを指定し、商品の種類が予め設定された設定種類でない場合には、前記モード切換手段は出金優先モードを指定することを特徴とする。
【００１８】
このような貨幣入出金処理システムによれば、各回の取引において、商品の種類が予め設定された設定種類である場合には、入金優先モードが指定される。一方、商品の種類が予め設定された設定種類でない場合には、出金優先モードが指定される。ここで、商品の種類が例えば弁当等でありオペレータが店舗に設けられた電子レンジ等でこの商品を温める必要がある場合には、このような商品の温めるための時間がかかるため、入金優先モードにおいて、預かり貨幣が貨幣入出金装置に入金され、その後貨幣入出金装置に設けられた識別部によりこの預かり貨幣の識別・計数を行った場合でも、顧客が商品を受け取る前にあるいは受け取った後に遅延なく釣貨幣が貨幣入出金装置から出金されるので、顧客は釣貨幣の受け取りが遅いと感じることはない。一方、商品の種類が例えば缶ジュース等すぐに手渡しできるものである場合には、出金優先モードによりまず釣貨幣を貨幣入出金装置から出金させ、顧客に釣貨幣を渡してから、貨幣入出金装置に設けられた識別部により預かり貨幣の識別・計数が行われるので、この場合でも顧客は釣貨幣の受け取りが遅いと感じることはない。このように、各回の取引において、商品の種類に応じて入金優先モードおよび出金優先モードの切り換えを行うので、取引毎に状況に応じて弾力的な運用を行うことができる。
【００１９】
上述の貨幣入出金処理システムにおいては、前記制御装置は、商品の設定種類を変更する設定種類変更手段を更に有することが好ましい。
【００２０】
本発明の貨幣入出金処理システムにおいては、前記制御装置は、各回の取引において前記モード切換手段により入金優先モードまたは出金優先モードのどちらが指定されたかを記憶する記憶手段を更に有することが好ましい。この場合、オペレータは、記憶手段に記憶された、過去の取引の履歴を確認することができるようになる。
【発明の効果】
【００２１】
本発明の貨幣入出金処理システムによれば、各回の取引において状況に応じて入金優先モードおよび出金優先モードの切り換えを行うことができ、取引毎に弾力的な運用を行うことができる。
【発明を実施するための最良の形態】
【００２２】
以下、図面を参照して本発明の一の実施の形態について説明する。図１乃至図６は、本実施の形態に係る貨幣入出金処理システムの構成を示す図である。このうち、図１は、本実施の形態における貨幣入出金処理システムの構成の概略を示す概略構成図であり、図２は、図１に示す貨幣入出金処理システムにおける硬貨釣銭装置および紙幣釣銭装置の外観を示す斜視図である。また、図３は、図１に示す貨幣入出金処理システムにおける制御端末機の制御ブロック図である。また、図４乃至図６は、それぞれ図１に示す貨幣入出金処理システムによる貨幣の処理の流れを示すフローチャートである。
【００２３】
まず、貨幣入出金処理システムの全体構成について図１を用いて説明する。図１に示すように、貨幣入出金処理システム１は、硬貨釣銭装置１Ａと、紙幣釣銭装置１Ｂと、制御端末機Ｔとを備えている。硬貨釣銭装置１Ａおよび紙幣釣銭装置１Ｂは、それぞれ硬貨や紙幣の入出金処理を行うようになっており、具体的には顧客から預かった硬貨や紙幣が入金されるとともに釣硬貨や釣紙幣が出金されるようになっている。
【００２４】
制御端末機ＴはホストサーバＳに接続されており、この制御端末機ＴからホストサーバＳに売上情報等が送信されるようになっている。制御端末機Ｔは例えばＰＯＳレジスタ（販売時点管理機能を有する金銭登録機）である。図１に示すように、制御端末機Ｔは、操作部ｔ１、表示部ｔ２、および制御部Ｃ３を有している。
【００２５】
硬貨釣銭装置１Ａおよび紙幣釣銭装置１Ｂは、それぞれ制御部Ｃ１、Ｃ２を有している。制御部Ｃ１、Ｃ２は互いに通信接続されており、制御部Ｃ２は制御端末機Ｔの制御部Ｃ３にも通信接続されている。
【００２６】
また、図１に示すように、制御端末機Ｔにはハンディタイプのバーコードスキャナ１０が接続されている。バーコードスキャナ１０は、商品に付されたバーコードを読み込むことにより、当該商品のバーコード情報（例えば、１６桁の数字）を得るようになっている。バーコードスキャナ１０により読み取られた商品のバーコード情報は制御端末機Ｔの制御部Ｃ３に送られるようになっている。なお、制御端末機Ｔにハンディタイプのバーコードスキャナ１０が接続される代わりに、制御端末機Ｔにバーコードスキャン機構が設けられており、商品に付されたバーコードを制御端末機Ｔのバーコードスキャン機構にかざすことによりこの商品のバーコード情報が得られるようになっていてもよい。
【００２７】
以下、硬貨釣銭装置１Ａ、紙幣釣銭装置１Ｂおよび制御端末機Ｔについて詳述する。
【００２８】
まず、硬貨釣銭装置１Ａの構成について具体的に説明する。図１および図２に示すように、硬貨釣銭装置１Ａは、前部上面に操作表示部１１２を有する筐体１１０を備えている。筐体１１０の前部には硬貨受入部１１４および硬貨払出部１１６が設けられている。
【００２９】
硬貨受入部１１４は、受け入れた硬貨を１層１列状態で１枚ずつ機内へ取り込むようになっている。硬貨受入部１１４には、当該硬貨受入部１１４により機内に取り込まれた硬貨を搬送する入金搬送部１０３が接続されている。
【００３０】
この入金搬送部１０３の途中には、硬貨の識別・計数を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３１】
一方、正常硬貨等の機内に収納されるべき硬貨は入金搬送部１０３により硬貨収納部１０６へ搬送されるようになっている。硬貨収納部１０６は硬貨を金種別に収納し、具体的には例えば入金搬送部１０３の上流側から高額順に硬貨を収納する。
【００３２】
出金搬送部１０８は、硬貨収納部１０６から繰り出された硬貨を取り出して、硬貨払出部１１６へ搬送するようになっている。また、出金搬送部１０８は、分岐部１０４から案内されたリジェクト硬貨等を硬貨払出部１１６へ搬送するようになっている。
【００３３】
次に、紙幣釣銭装置１Ｂの構成について具体的に説明する。図１に示すように、紙幣釣銭装置１Ｂは、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａの外周を取り囲むように配置されている。
【００３４】
また、紙幣釣銭装置１Ｂの筐体２１０の内部には、紙幣受入部２１４、各紙幣収納部２０６、紙幣払出部２１６、出金リジェクト部２０４、および紙幣回収カセット２０７と、周回搬送部２０３ａとの間を接続する紙幣の接続搬送部２０３ｂがそれぞれ形成されている。また、周回搬送部２０３ａには紙幣識別部２０１が設けられており、この紙幣識別部２０１は、当該紙幣識別部２０１を通過する紙幣の識別・計数を行うようになっている。
【００３５】
また、周回搬送部２０３ａと各接続搬送部２０３ｂとの間で紙幣の搬送経路を切り換える経路切換部（図示せず）が、周回搬送部２０３ａに沿って配置されている。
【００３６】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱自在に取り付けられている。また、筐体２１０の前部上面に操作表示部２１２が設けられている。
【００３７】
紙幣受入部２１４は、紙幣受入口２１４ａに挿入された入金紙幣を１枚ずつ取り込んで、周回搬送部２０３ａ側へ繰り出すようになっている。各紙幣収納部２０６は、紙幣識別部２０１の識別結果に基づいて紙幣を金種別に収納する。紙幣払出部２１６は、各紙幣収納部２０６から取り出された紙幣を紙幣取出口２１６ａより放出するようになっている。
【００３８】
出金リジェクト部２０４は、紙幣収納部２０６から繰り出された紙幣のうち、斜行等により紙幣識別部２０１で識別することができない紙幣を出金リジェクト紙幣として収納する。また、紙幣受入部２１４から取り込まれた紙幣のうち、汚損等により紙幣識別部２０１で識別することができない紙幣は入金リジェクト紙幣として紙幣払出部２１６に返却されるようになっている。
【００３９】
次に、制御端末機Ｔの構成について具体的に説明する。制御端末機Ｔは、前述のように、例えばＰＯＳレジスタ（販売時点管理機能を有する金銭登録機）であり、この制御端末機Ｔは、商品の購入情報を登録するとともに、硬貨釣銭装置１Ａや紙幣釣銭装置１Ｂに対して硬貨や紙幣の入出金処理を行わせるようになっている。
【００４０】
図３に示すように、制御端末機Ｔの制御部Ｃ３には、操作部ｔ１、表示部ｔ２、モード切換部ｔ３、設定数変更部ｔ４、設定種類変更部ｔ５および記憶部ｔ６がそれぞれ接続されている。
【００４１】
制御部Ｃ３は、図１に示すように、紙幣釣銭装置１Ｂの制御部Ｃ２に通信接続されているとともに、ホストサーバＳにも通信接続されている。そして、制御部Ｃ３は、硬貨釣銭装置１Ａの制御部Ｃ１や紙幣釣銭装置１Ｂの制御部Ｃ２に指令を送ることにより硬貨釣銭装置１Ａや紙幣釣銭装置１Ｂに対して硬貨や紙幣の入出金処理を行わせるようになっている。また、制御部Ｃ３は、硬貨釣銭装置１Ａの制御部Ｃ１や紙幣釣銭装置１Ｂの制御部Ｃ２から、これらの硬貨釣銭装置１Ａや紙幣釣銭装置１Ｂにおける硬貨や紙幣の処理状況に係る情報を受け取るようになっている。
【００４２】
また、制御部Ｃ３には、前述のように、バーコードスキャナ１０により読み取られた商品のバーコード情報が送られるようになっている。そして、制御部Ｃ３は、ホストサーバＳに対してこの商品のバーコード情報を送信することにより、ホストサーバＳに蓄積された商品の種類や金額に係る情報を受け取るようになっている。制御部Ｃ３は、ホストサーバＳから送信された商品の種類や金額に係る情報に基づいて、商品の購入情報を登録するようになっている。ここで、商品の購入情報とは、商品の種類、数量および金額のことをいう。
【００４３】
操作部ｔ１は、オペレータが操作することができるようになっており、制御部Ｃ３に対して様々な指令を与えることができるようになっている。具体的には、操作部ｔ１により、オペレータは顧客から預かった貨幣の金額を手入力することができるようになっている。この場合、操作部ｔ１は、顧客から預かった貨幣の金額を入力する預かり金額入力手段として機能する。また、操作部ｔ１には確定キーや取消キーが設けられており、オペレータは様々な処理の確定や取消を行うことができるようになっている。
【００４４】
表示部ｔ２は、硬貨釣銭装置１Ａや紙幣釣銭装置１Ｂにおける硬貨や紙幣の処理状況や、硬貨釣銭装置１Ａや紙幣釣銭装置１Ｂの内部に収納された硬貨や紙幣の在高を表示するようになっている。また、表示部ｔ２には、バーコードスキャナ１０により読み取られた商品の購入情報が表示されるようになっている。
【００４５】
モード切換部ｔ３は、硬貨釣銭装置１Ａや紙幣釣銭装置１Ｂに対して預かり貨幣を入金した後に釣貨幣（釣硬貨や釣紙幣）をこれらの硬貨釣銭装置１Ａや紙幣釣銭装置１Ｂから出金させる入金優先モードと、硬貨釣銭装置１Ａや紙幣釣銭装置１Ｂから釣貨幣を出金させた後に硬貨釣銭装置１Ａや紙幣釣銭装置１Ｂに対して預かり貨幣を入金させる出金優先モードとを切り換えるようになっている。ここで、モード切換部ｔ３は、毎回の取引ごとに入金優先モードと出金優先モードとを切り換えるようになっている。
【００４６】
各回の取引において、モード切換部ｔ３により入金優先モードが指定されたときには、硬貨釣銭装置１Ａや紙幣釣銭装置１Ｂに入金され硬貨識別部１０１や紙幣識別部２０１により識別・計数された硬貨や紙幣の金額と、制御端末機Ｔの制御部Ｃ３において登録された商品の購入情報における商品の合計金額とを比較して釣貨幣の金額を算出し、硬貨釣銭装置１Ａや紙幣釣銭装置１Ｂからこの金額の釣貨幣を出金させるようになっている。一方、モード切換部ｔ３により出金優先モードが指定されたときには、オペレータによって操作部ｔ１により手入力された預かり貨幣の金額と、制御端末機Ｔの制御部Ｃ３において登録された商品の購入情報における商品の合計金額とを比較して釣貨幣の金額を算出し、硬貨釣銭装置１Ａや紙幣釣銭装置１Ｂからこの金額の釣貨幣を出金させるようになっている。
【００４７】
設定数変更部ｔ４および設定種類変更部ｔ５の構成の詳細については後述する。
【００４８】
記憶部ｔ６は、各回の取引においてモード切換部ｔ３により入金優先モードまたは出金優先モードのどちらが指定されたかを記憶するようになっている。記憶部ｔ６に記憶された情報は、表示部ｔ２に表示させることができるようになっている。また、記憶部ｔ６に記憶された情報をホストサーバＳに送ることができるようになっていてもよい。
【００４９】
次に、このような構成からなる貨幣入出金処理システムの動作について図４乃至図６に示すフローチャートを用いて説明する。ここでは、オペレータが顧客から硬貨や紙幣を預かった後、硬貨釣銭装置１Ａや紙幣釣銭装置１Ｂから釣貨幣が出されるまでの一連の動作について説明する。
【００５０】
図４のフローチャートに示すように、取引が開始されると、まず、１または複数の商品がバーコードスキャナ１０によりスキャンされる（ＳＴＥＰ１−１）。この際に、制御部Ｃ３は、商品の種類、数量および金額等の商品の購入情報を登録する。そして、モード切換部ｔ３により、初期状態として入金優先モードに切り換えられる（ＳＴＥＰ１−２）。
【００５１】
次に、オペレータにより預かり貨幣が硬貨釣銭装置１Ａや紙幣釣銭装置１Ｂに投入されたか否かが判断される（ＳＴＥＰ１−３）。オペレータにより預かり貨幣が硬貨釣銭装置１Ａや紙幣釣銭装置１Ｂに投入され、さらに操作部ｔ１の確定キーがオペレータにより押下された場合には（ＳＴＥＰ１−４）、入金優先モードが維持されることとなる。すなわち、制御部Ｃ３において、硬貨釣銭装置１Ａや紙幣釣銭装置１Ｂに入金され硬貨識別部１０１や紙幣識別部２０１により識別・計数された硬貨や紙幣の金額と、制御部Ｃ３において登録された商品の購入情報における商品の合計金額とを比較して釣貨幣の金額が算出される。そして、硬貨釣銭装置１Ａや紙幣釣銭装置１Ｂからこの金額の釣貨幣が出金される（ＳＴＥＰ１−５）。そして、記憶部ｔ６に、今回の取引においてモード切換部ｔ３により入金優先モードまたは出金優先モードのどちらが指定されたかが記憶され、その後、取引が終了する。
【００５２】
一方、オペレータにより預かり貨幣が硬貨釣銭装置１Ａや紙幣釣銭装置１Ｂに投入される前に、オペレータによって顧客から預かった貨幣の金額が操作部ｔ１により手入力され（ＳＴＥＰ１−６）、さらに操作部ｔ１の確定キーがオペレータにより押下された場合には（ＳＴＥＰ１−７）、モード切換部ｔ３により入金優先モードから出金優先モードに切り換えられる（ＳＴＥＰ１−８）。この場合、制御部Ｃ３において、オペレータによって操作部ｔ１により手入力された預かり貨幣の金額と、制御部Ｃ３において登録された商品の購入情報における商品の合計金額とを比較して釣貨幣の金額が算出される。そして、硬貨釣銭装置１Ａや紙幣釣銭装置１Ｂからこの金額の釣貨幣が出金される（ＳＴＥＰ１−９）。その後、制御部Ｃ３は、硬貨釣銭装置１Ａや紙幣釣銭装置１Ｂを補充受付可能状態とする（ＳＴＥＰ１−１０）。硬貨釣銭装置１Ａや紙幣釣銭装置１Ｂが補充受付可能状態となると、オペレータにより硬貨釣銭装置１Ａや紙幣釣銭装置１Ｂに投入された硬貨や紙幣は、預かり金としてではなく、補充用の硬貨や紙幣として硬貨収納部１０６や紙幣収納部２０６に収納されることとなる。そして、記憶部ｔ６に、今回の取引においてモード切換部ｔ３により入金優先モードまたは出金優先モードのどちらが指定されたかが記憶され、その後、取引が終了する。
【００５３】
このように、図４のフローチャートに示すような、貨幣入出金処理システムによる貨幣の処理の流れによれば、各回の取引において、操作部ｔ１により顧客から預かった貨幣の金額が手入力される前に硬貨釣銭装置１Ａや紙幣釣銭装置１Ｂに対して預かり貨幣が投入された場合には、モード切換部ｔ３は入金優先モードを指定する。一方、硬貨釣銭装置１Ａや紙幣釣銭装置１Ｂに対して預かり貨幣が投入される前に操作部ｔ１により顧客から預かった貨幣の金額が手入力された場合には、モード切換部ｔ３は出金優先モードを指定する。
【００５４】
オペレータが顧客から硬貨や紙幣を預かった後、硬貨釣銭装置１Ａや紙幣釣銭装置１Ｂから釣貨幣が出されるまでの一連の動作としては、上述のようなものに限定されることはない。以下、本実施の形態における貨幣入出金処理システムの他の動作について説明する。
【００５５】
図５のフローチャートに示すように、取引が開始されると、まず、１または複数の商品がバーコードスキャナ１０によりスキャンされる（ＳＴＥＰ２−１）。この際に、制御部Ｃ３は、商品の種類、数量および金額等の商品の購入情報を登録する。
【００５６】
制御部Ｃ３において、登録された商品の購入情報における商品の数が予め設定された設定数よりも多いか否かが判断される（ＳＴＥＰ２−２）。登録された商品の購入情報における商品の数が予め設定された設定数よりも多い場合には、モード切換部ｔ３により入金優先モードに切り換えられる（ＳＴＥＰ２−４）。
【００５７】
次に、登録された商品の購入情報における商品の数が予め設定された設定数以下である場合において、登録された商品の購入情報における商品の種類が予め設定された設定種類である場合にも（ＳＴＥＰ２−３）、モード切換部ｔ３により入金優先モードに切り換えられる（ＳＴＥＰ２−４）。
【００５８】
モード切換部ｔ３により入金優先モードに切り換えられた後、オペレータにより預かり貨幣が硬貨釣銭装置１Ａや紙幣釣銭装置１Ｂに投入され（ＳＴＥＰ２−５）、さらに操作部ｔ１の確定キーがオペレータにより押下された場合には（ＳＴＥＰ２−６）、制御部Ｃ３において、硬貨釣銭装置１Ａや紙幣釣銭装置１Ｂに入金され硬貨識別部１０１や紙幣識別部２０１により識別・計数された硬貨や紙幣の金額と、制御部Ｃ３において登録された商品の購入情報における商品の合計金額とを比較して釣貨幣の金額が算出される。そして、硬貨釣銭装置１Ａや紙幣釣銭装置１Ｂからこの金額の釣貨幣が出金される（ＳＴＥＰ２−７）。そして、記憶部ｔ６に、今回の取引においてモード切換部ｔ３により入金優先モードまたは出金優先モードのどちらが指定されたかが記憶され、その後、取引が終了する。
【００５９】
一方、登録された商品の購入情報における商品の数が予め設定された設定数以下であり、かつ、登録された商品の購入情報における商品の種類が予め設定された設定種類ではない場合には、モード切換部ｔ３により出金優先モードに切り換えられる（ＳＴＥＰ２−８）。そして、オペレータによって顧客から預かった貨幣の金額が操作部ｔ１により手入力され（ＳＴＥＰ２−９）、さらに操作部ｔ１の確定キーがオペレータにより押下された場合には（ＳＴＥＰ２−１０）、制御部Ｃ３において、オペレータによって操作部ｔ１により手入力された預かり貨幣の金額と、制御部Ｃ３において登録された商品の購入情報における商品の合計金額とを比較して釣貨幣の金額が算出される。そして、硬貨釣銭装置１Ａや紙幣釣銭装置１Ｂからこの金額の釣貨幣が出金される（ＳＴＥＰ２−１１）。その後、制御部Ｃ３は、硬貨釣銭装置１Ａや紙幣釣銭装置１Ｂを補充受付可能状態とする（ＳＴＥＰ２−１２）。硬貨釣銭装置１Ａや紙幣釣銭装置１Ｂが補充受付可能状態となると、オペレータにより硬貨釣銭装置１Ａや紙幣釣銭装置１Ｂに投入された硬貨や紙幣は、預かり金としてではなく、補充用の硬貨や紙幣として硬貨収納部１０６や紙幣収納部２０６に収納されることとなる。そして、記憶部ｔ６に、今回の取引においてモード切換部ｔ３により入金優先モードまたは出金優先モードのどちらが指定されたかが記憶され、その後、取引が終了する。
【００６０】
このように、図５のフローチャートに示すような、貨幣入出金処理システムによる貨幣の処理の流れによれば、各回の取引において、制御部Ｃ３において登録された商品の購入情報における商品の数が予め設定された設定数よりも多い場合には、モード切換部ｔ３は入金優先モードを指定し、商品の数が予め設定された設定数以下である場合には、モード切換部ｔ３は出金優先モードを指定する。
【００６１】
なお、図５のフローチャートに示すような貨幣入出金処理システムの動作において、制御部Ｃ３に接続された設定数変更部ｔ４により、図５のＳＴＥＰ２−２の動作で用いられる設定数を変更することができるようになっている。このような設定数の変更は、オペレータが操作部ｔ１により行うことにより、あるいはホストサーバＳが制御部Ｃ３に対して指令を与えることによりなされるようになっている。
【００６２】
また、図５のフローチャートに示すような貨幣入出金処理システムの動作において、制御部Ｃ３に接続された設定種類変更部ｔ５により、図５のＳＴＥＰ２−３の動作で用いられる設定種類を変更することができるようになっている。このような設定種類の変更は、オペレータが操作部ｔ１により行うことにより、あるいはホストサーバＳが制御部Ｃ３に対して指令を与えることによりなされるようになっている。
【００６３】
オペレータが顧客から硬貨や紙幣を預かった後、硬貨釣銭装置１Ａや紙幣釣銭装置１Ｂから釣貨幣が出されるまでの一連の動作に関して、本実施の形態における更に他の動作を以下に説明する。
【００６４】
図６のフローチャートに示すように、取引が開始されると、まず、１または複数の商品がバーコードスキャナ１０によりスキャンされる（ＳＴＥＰ３−１）。この際に、制御部Ｃ３は、商品の種類、数量および金額等の商品の購入情報を登録する。
【００６５】
制御部Ｃ３において、登録された商品の購入情報における商品の種類が予め設定された設定種類であるか否かが判断される（ＳＴＥＰ３−２）。登録された商品の購入情報における商品の種類が予め設定された設定種類である場合には、モード切換部ｔ３により入金優先モードに切り換えられる（ＳＴＥＰ３−３）。
【００６６】
モード切換部ｔ３により入金優先モードに切り換えられた後、オペレータにより預かり貨幣が硬貨釣銭装置１Ａや紙幣釣銭装置１Ｂに投入され（ＳＴＥＰ３−４）、さらに操作部ｔ１の確定キーがオペレータにより押下された場合には（ＳＴＥＰ３−５）、制御部Ｃ３において、硬貨釣銭装置１Ａや紙幣釣銭装置１Ｂに入金され硬貨識別部１０１や紙幣識別部２０１により識別・計数された硬貨や紙幣の金額と、制御部Ｃ３において登録された商品の購入情報における商品の合計金額とを比較して釣貨幣の金額が算出される。そして、硬貨釣銭装置１Ａや紙幣釣銭装置１Ｂからこの金額の釣貨幣が出金される（ＳＴＥＰ３−６）。そして、記憶部ｔ６に、今回の取引においてモード切換部ｔ３により入金優先モードまたは出金優先モードのどちらが指定されたかが記憶され、その後、取引が終了する。
【００６７】
一方、登録された商品の購入情報における商品の種類が予め設定された設定種類ではない場合には、モード切換部ｔ３により出金優先モードに切り換えられる（ＳＴＥＰ３−７）。そして、オペレータによって顧客から預かった貨幣の金額が操作部ｔ１により手入力され（ＳＴＥＰ３−８）、さらに操作部ｔ１の確定キーがオペレータにより押下された場合には（ＳＴＥＰ３−９）、制御部Ｃ３において、オペレータによって操作部ｔ１により手入力された預かり貨幣の金額と、制御部Ｃ３において登録された商品の購入情報における商品の合計金額とを比較して釣貨幣の金額が算出される。そして、硬貨釣銭装置１Ａや紙幣釣銭装置１Ｂからこの金額の釣貨幣が出金される（ＳＴＥＰ３−１０）。その後、制御部Ｃ３は、硬貨釣銭装置１Ａや紙幣釣銭装置１Ｂを補充受付可能状態とする（ＳＴＥＰ３−１１）。硬貨釣銭装置１Ａや紙幣釣銭装置１Ｂが補充受付可能状態となると、オペレータにより硬貨釣銭装置１Ａや紙幣釣銭装置１Ｂに投入された硬貨や紙幣は、預かり金としてではなく、補充用の硬貨や紙幣として硬貨収納部１０６や紙幣収納部２０６に収納されることとなる。そして、記憶部ｔ６に、今回の取引においてモード切換部ｔ３により入金優先モードまたは出金優先モードのどちらが指定されたかが記憶され、その後、取引が終了する。
【００６８】
このように、図６のフローチャートに示すような、貨幣入出金処理システムによる貨幣の処理の流れによれば、各回の取引において、商品の種類が予め設定された設定種類である場合には、モード切換部ｔ３は入金優先モードを指定し、商品の種類が予め設定された設定種類でない場合には、モード切換部ｔ３は出金優先モードを指定する。
【００６９】
なお、図６のフローチャートに示すような貨幣入出金処理システムの動作において、制御部Ｃ３に接続された設定種類変更部ｔ５により、図６のＳＴＥＰ３−２の動作で用いられる設定種類を変更することができるようになっている。このような設定種類の変更は、オペレータが操作部ｔ１により行うことにより、あるいはホストサーバＳが制御部Ｃ３に対して指令を与えることによりなされるようになっている。
【００７０】
以上のように本実施の形態の貨幣入出金処理システム１によれば、図４のフローチャートに示すように、各回の取引において、操作部ｔ１（預かり金額入力手段）により顧客から預かった貨幣の金額が手入力される前に硬貨釣銭装置１Ａや紙幣釣銭装置１Ｂに対して預かり貨幣が入金された場合には、モード切換部ｔ３は入金優先モードを指定し、一方、硬貨釣銭装置１Ａや紙幣釣銭装置１Ｂに対して預かり貨幣が入金される前に操作部ｔ１により顧客から預かった貨幣の金額が手入力された場合には、モード切換部ｔ３は出金優先モードを指定するようになっている。このことにより、各回の取引において、操作部ｔ１により顧客から預かった貨幣の金額が手入力されるタイミングと、硬貨釣銭装置１Ａや紙幣釣銭装置１Ｂに対して預かり貨幣が入金されるタイミングとを比較し、どちらの処理が先に行われるかに基づいて入金優先モードおよび出金優先モードの切り換えを行うことができる。このため、取引毎に弾力的な運用を行うことができる。
【００７１】
また、本実施の形態の貨幣入出金処理システム１によれば、図５のフローチャートに示すように、各回の取引において、制御部Ｃ３において登録された商品の購入情報における商品の数が予め設定された設定数よりも多い場合には、モード切換部ｔ３は入金優先モードを指定し、商品の数が予め設定された設定数以下である場合には、モード切換部ｔ３は出金優先モードを指定するようになっている。ここで、商品の数が多い場合には、オペレータが商品のスキャンを行うのに時間がかかるため、入金優先モードにおいて、預かり貨幣が硬貨釣銭装置１Ａや紙幣釣銭装置１Ｂに入金され、その後硬貨識別部１０１や紙幣識別部２０１によりこの預かり貨幣の識別・計数を行った後に釣貨幣が硬貨釣銭装置１Ａや紙幣釣銭装置１Ｂから出金された場合でも、取引全体の時間に占める貨幣処理時間の割合が低くなるので、顧客は釣貨幣の受け取りが遅いと感じることはない。一方、商品の数が少ない場合には、出金優先モードによりまず釣貨幣を硬貨釣銭装置１Ａや紙幣釣銭装置１Ｂから出金させ、顧客に釣貨幣を渡してから、硬貨識別部１０１や紙幣識別部２０１により預かり貨幣の識別・計数が行われるので、この場合でも顧客は釣貨幣の受け取りが遅いと感じることはない。このように、各回の取引において、商品の数に応じて入金優先モードおよび出金優先モードの切り換えを行うので、取引毎に状況に応じて弾力的な運用を行うことができる。
【００７２】
この場合、設定数変更部ｔ４により設定数を変更することができるので、オペレータはより弾力的な運用を行うことができる。
【００７３】
また、本実施の形態の貨幣入出金処理システム１によれば、図６のフローチャートに示すように、各回の取引において、商品の種類が予め設定された設定種類である場合には、モード切換部ｔ３は入金優先モードを指定し、商品の種類が予め設定された設定種類でない場合には、モード切換部ｔ３は出金優先モードを指定するようになっている。ここで、商品の種類が例えば弁当等でありオペレータが店舗に設けられた電子レンジ等でこの商品を温める必要がある場合には、このような商品の温めるための時間がかかるため、入金優先モードにおいて、預かり貨幣が硬貨釣銭装置１Ａや紙幣釣銭装置１Ｂに入金され、その後硬貨識別部１０１や紙幣識別部２０１によりこの預かり貨幣の識別・計数を行った場合でも、顧客が商品を受け取る前にあるいは受け取った後に遅延なく釣貨幣が硬貨釣銭装置１Ａや紙幣釣銭装置１Ｂから出金されるので、顧客は釣貨幣の受け取りが遅いと感じることはない。一方、商品の種類が例えば缶ジュース等すぐに手渡しできるものである場合には、出金優先モードによりまず釣貨幣を硬貨釣銭装置１Ａや紙幣釣銭装置１Ｂから出金させ、顧客に釣貨幣を渡してから、硬貨識別部１０１や紙幣識別部２０１により預かり貨幣の識別・計数が行われるので、この場合でも顧客は釣貨幣の受け取りが遅いと感じることはない。このように、各回の取引において、商品の種類に応じて入金優先モードおよび出金優先モードの切り換えを行うので、取引毎に状況に応じて弾力的な運用を行うことができる。
【００７４】
この場合、設定種類変更部ｔ５により設定種類を変更することができるので、オペレータはより弾力的な運用を行うことができる。
【００７５】
また、記憶部ｔ６には、各回の取引においてモード切換部ｔ３により入金優先モードまたは出金優先モードのどちらが指定されたかが記憶されるので、オペレータは、例えば表示部ｔ２を見ることにより、過去の取引の履歴を確認することができるようになる。
【図面の簡単な説明】
【００７６】
【図１】本発明の一の実施の形態における貨幣入出金処理システムの構成の概略を示す概略構成図である。
【図２】図１に示す貨幣入出金処理システムにおける硬貨釣銭装置および紙幣釣銭装置の外観を示す斜視図である。
【図３】図１に示す貨幣入出金処理システムにおける制御端末機の制御ブロック図である。
【図４】図１に示す貨幣入出金処理システムによる貨幣の処理の流れを示すフローチャートである。
【図５】図１に示す貨幣入出金処理システムによる貨幣の処理の他の流れを示すフローチャートである。
【図６】図１に示す貨幣入出金処理システムによる貨幣の処理の更に他の流れを示すフローチャートである。
【符号の説明】
【００７７】
１    貨幣入出金処理システム
１Ａ  硬貨釣銭機
１Ｂ  紙幣釣銭機
１０  バーコードスキャナ
１０１  硬貨識別部
１０３  入金搬送部
１０４  分岐部
１０６  硬貨収納部
１１０  筐体
１１２  操作表示部
１１４  硬貨受入部
１１６  硬貨払出部
２０１  紙幣識別部
２０３ａ  周回搬送部
２０３ｂ  接続搬送部
２０４  出金リジェクト部
２０６  紙幣収納部
２０７  紙幣回収カセット
２１０  筐体
２１２  操作表示部
２１４  紙幣受入部
２１４ａ  紙幣受入口
２１６  紙幣払出部
２１６ａ  紙幣取出口
Ｃ１、Ｃ２、Ｃ３  制御部
Ｓ  ホストサーバ
Ｔ  制御端末機
ｔ１  操作部
ｔ２  表示部
ｔ３  モード切換部
ｔ４  設定数変更部
ｔ５  設定種類変更部
ｔ６  記憶部
【図１】
2010044558.tif 000003
【図２】
2010044558.tif 000004
【図３】
2010044558.tif 000005
【図４】
2010044558.tif 000006
【図５】
2010044558.tif 000007
【図６】
2010044558.tif 000008